(57)【特許請求の範囲】
【請求項１】
光ディスクにひとまとまりのデータの記録が行われたときには、前記データの後尾に割付テーブルを記録する割付テーブル記録手段と、
割付テーブルに基づいて光ディスクに記録されたデータの再生を行う再生制御手段とを備え、
割付テーブルには、前記ひとまとまりのデータの記録終了位置と、前回に記録された割付テーブルの記録位置とが含まれた光ディスク装置において、
記録を行ったデータに対応する割付テーブルが正常に記録されたかどうかを判定する判定手段と、
記録済領域の後尾の割付テーブルを検出し、この割付テーブルに含まれる前回に記録された割付テーブルの記録位置から前回に記録された割付テーブルを検出する処理を繰り返すことによって、全ての割付テーブルの記録位置を示すテーブル位置情報を取得する取得手段とを備え、
割付テーブル記録手段は、判定手段の判定結果が割付テーブルが正常に記録されなかったことを示すときには、前記取得手段によって取得されるテーブル位置情報を光ディスクのリードイン領域に記録し、
再生制御手段は、記録済み領域の後尾のデータが割付テーブルとなっていないときには、前記リードイン領域に記録されたテーブル位置情報によって記録位置が示される割付テーブルに基づいてデータの再生を行うことを特徴とする光ディスク装置。
【請求項２】
光ディスクにひとまとまりのデータの記録が行われたときには、前記データの後尾に割付テーブルを記録する割付テーブル記録手段と、
割付テーブルに基づいて光ディスクに記録されたデータの再生を行う再生制御手段とを備え、
割付テーブルには、前記ひとまとまりのデータの記録終了位置と、前回に記録された割付テーブルの記録位置とが含まれた光ディスク装置において、
記録を行ったデータに対応する割付テーブルが正常に記録されたかどうかを判定する判定手段と、
記録済領域の後尾の割付テーブルを検出し、この割付テーブルに含まれる前回に記録された割付テーブルの記録位置から前回に記録された割付テーブルを検出する処理を繰り返すことによって、全ての割付テーブルの記録位置を示すテーブル位置情報を取得する取得手段とを備え、
割付テーブル記録手段は、判定手段の判定結果が割付テーブルが正常に記録されなかったことを示すときには、前記取得手段によって取得されるテーブル位置情報を光ディスクの所定領域に記録し、
再生制御手段は、記録済み領域の後尾のデータが割付テーブルとなっていないときには、前記所定領域に記録されたテーブル位置情報によって記録位置が示される割付テーブルに基づいてデータの再生を行うことを特徴とする光ディスク装置。
【請求項３】
光ディスクにひとまとまりのデータの記録が行われたときには、前記データの後尾に割付テーブルを記録する割付テーブル記録手段と、
割付テーブルに基づいて光ディスクに記録されたデータの再生を行う再生制御手段とを備え、
割付テーブルには、前記ひとまとまりのデータの記録終了位置と、前回に記録された割付テーブルの記録位置とが含まれた光ディスク装置において、
記録済領域の後尾の割付テーブルを検出し、この割付テーブルに含まれる前回に記録された割付テーブルの記録位置から前回に記録された割付テーブルを検出する処理を繰り返すことによって、全ての割付テーブルの記録位置を示すテーブル位置情報を取得する取得手段とを備え、
割付テーブル記録手段は、光ディスクに既に記録されていた最後尾の割付テーブルの後方にデータが記録されたときには、前記取得手段によって取得されるテーブル位置情報を光ディスクの所定領域に記録し、
再生制御手段は、記録済み領域の後尾のデータが割付テーブルとなっていないときには、前記所定領域に記録されたテーブル位置情報によって記録位置が示される割付テーブルに基づいてデータの再生を行うことを特徴とする光ディスク装置。
【発明の詳細な説明】
【技術分野】
【０００１】
本発明は、ＤＶＤ＋Ｒ等の光ディスクにデータの記録を行うとともに、光ディスクに記録されたデータの再生を行う光ディスク装置に係り、より詳細には、ひとまとまりのデータの記録終了位置と、前回に記録された割付テーブルの記録位置とを含む割付テーブルを所定領域に記録する光ディスク装置に関する。
【背景技術】
【０００２】
追記記録が可能なＤＶＤの一種にＤＶＤ＋Ｒがある。このＤＶＤ＋Ｒにおいては、１タイトル分の映像音声情報（録画を開始して後、録画を停止するまでの期間に記録されたひとまとまりの映像音声情報）を記録する毎に、その後尾に、ＲＳＡＴ（Ｒｅｓｅｒｖｅｄ  Ｓｐａｃｅ  Ａｌｌｏｃａｔｉｏｎ  Ｔａｂｌｅ）と呼ばれるデータを記録し、このＲＳＡＴでもって、記録した映像音声情報の記録位置を示すようになっている。すなわち、図１３（Ａ）〜（Ｃ）に示したように、いま、１タイトル分の映像音声情報９１１を記録したとすると、映像音声情報９１１の後尾にＲＳＡＴ９２１が記録される。また、１タイトル分の映像音声情報９１２を追記したときには、映像音声情報９１２の後尾にＲＳＡＴ９２２が記録され、さらに、１タイトル分の映像音声情報９１３を追記したときには、映像音声情報９１３の後尾にＲＳＡＴ９２３が記録されるようになっている。
【０００３】
図１４は、上記した方法により記録されるＲＳＡＴの構成を示しており、項目『ＥＮＤ＿ＤＡＴＡ』は、その直前に位置する映像音声情報の記録終了位置を示すようになっている。また、項目『ＰＲＥＶ＿ＲＳＡＴ』は、前回に記録されたＲＳＡＴの記録位置を示すようになっている。従って、例えば、３タイトル分の映像音声情報９１１〜９１３が記録された状態において、映像音声情報９１２を再生するときには、最初に、記録済み領域の最後の領域を調べ、最後の領域に記録されたＲＳＡＴ９２３を読み出す。次いで、読み出したＲＳＡＴ９２３に記録されたＲＳＡＴ９２２の記録位置の情報に基づいて、ＲＳＡＴ９２２を読み出し、映像音声情報９１２の記録終了位置を取得する。また、ＲＳＡＴ９２２に記録されたＲＳＡＴ９２１の記録位置の情報に基づき、映像音声情報９１２の記録開始位置を取得する（第１の従来技術とする）。
【０００４】
また、以下に示す技術が提案されている（第２の従来技術とする）。すなわち、この技術は、ＤＶＤ−ＲＷ等の書き換え可能な光ディスクにおいて、多数回において繰り返し録画する場合にも、記録した情報に関する管理情報を安定的に記録し、再生することを可能にする技術となっている。つまり、ＤＶＤ−ＲＷにおいては、ファイナライズをしない場合、管理情報は、仮管理情報の形で所定の管理情報記録領域に記録される。また、この仮管理情報は、録画を行う毎に書き換えされる。従って、同じＤＶＤ−ＲＷに番組を録画することを幾度も繰り返す場合、仮管理情報の書き換え回数が多くなるので、管理情報記録領域の劣化が生じ、仮管理情報の記録再生に不具合が生じるという事態を招く。このため、仮管理情報の記録時に、書き込みエラーやベリファイエラーが生じた場合、それまでに仮管理情報の記録に使用していた管理情報記録領域から一定の領域分だけ離れた領域を、新しい管理情報記録領域として、この新しい管理情報記録領域に仮管理情報を記録するようになっている（例えば、特許文献１参照）。
【特許文献１】特開２００４−５７７１号公報
【発明の開示】
【発明が解決しようとする課題】
【０００５】
しかしながら、第１の従来技術を用いる場合には、以下に示す問題を生じていた。すなわち、いま、映像音声情報９１１とＲＳＡＴ９２１が記録されるとともに、映像音声情報９１２とＲＳＡＴ９２２とが追記されたとする。この状態において映像音声情報９１３とＲＳＡＴ９２３との追記を行ったとき、何らかの原因によって追記が中断されたとする。つまり、ＲＳＡＴ９２３の追記までの一連の動作が完了することなく、追記動作が途中で終了したとする。このような事態が生じると、記録済み領域の最後の領域は、ＲＳＡＴ９２３が記録されていない領域となる。そして、ＲＳＡＴ９２３が記録されなかった場合、ＲＳＡＴ９２２の記録位置を示す情報は、どこにも記録されていないことになる。また、このときでは、ＲＳＡＴ９２２の記録位置は、記録済み領域の最後の領域とは異なる領域となる。従って、ＲＳＡＴ９２２を読み出すことができなくなる。また、ＲＳＡＴ９２２には、ＲＳＡＴ９２１の記録位置が記録されているので、ＲＳＡＴ９２２を読み出せなくなると、ＲＳＡＴ９２１を読み出すこともできなくなる。つまり、映像音声情報９１３とＲＳＡＴ９２３との追記に不具合が生じた場合、映像音声情報９１３がうまく記録できなかったことに加え、映像音声情報９１３の追記前では再生が可能であった映像音声情報９１１，９１２も再生できなくなるという不都合を招いていた。
【０００６】
第２の従来技術は、すべての映像音声情報に関する管理情報を、ひとまとめの情報である仮管理情報として、専用の領域である管理情報記録領域に記録する規格の光ディスクにおける技術となっている。このため、ＲＳＡＴを用いて映像音声情報の記録位置を示す規格の光ディスクの場合には、適用することが困難な技術となっている。
【０００７】
本発明は、上記の問題点を解決するため創案されたものであり、その目的は、割付テーブル（ＲＳＡＴ）の記録が正常に行われない事態が生じたときにも、既に記録されていたデータの再生を可能にすることのでき、且つ、以前には読み出しが可能であった割付テーブルの記録位置を読み出すことが不能となる事態が生じるときにも、既に記録されていたデータの再生を可能にすることのでき、且つ、既に記録されていた割付テーブルの記録位置を示すテーブル位置情報の書き込みにおけるエラーの発生を低減することのできる光ディスク装置を提供することにある。
【０００８】
また本発明の目的は、割付テーブルが正常に記録されなかったときには、既に記録されていた割付テーブルの記録位置を示すテーブル位置情報を所定領域に記録し、記録済み領域の後尾のデータが割付テーブルとなっていないときには、テーブル位置情報によって記録位置が示される割付テーブルに基づいてデータの再生を行うことにより、割付テーブルの記録が正常に行われない事態が生じたときにも、既に記録されていたデータの再生を可能にすることのできる光ディスク装置を提供することにある。
【０００９】
また本発明の目的は、最後尾の割付テーブルの後方にデータが記録されたときには、既に記録されていた割付テーブルの記録位置を示すテーブル位置情報を光ディスクの所定領域に記録し、記録済み領域の後尾のデータが割付テーブルとなっていないときには、テーブル位置情報によって記録位置が示される割付テーブルに基づいてデータの再生を行うことにより、割付テーブルの記録が正常に行われない事態が生じたときにも、既に記録されていたデータの再生を可能にすることのできる光ディスク装置を提供することにある。
【００１０】
また、上記目的に加え、テーブル位置情報には、既に記録されていた全ての割付テーブルの記録位置を含めることにより、以前には読み出しが可能であった割付テーブル（前回る記録された割付テーブル）の記録位置を読み出すことが不能となる事態が生じるときにも、既に記録されていたデータの再生を可能にすることのできる光ディスク装置を提供することにある。
【課題を解決するための手段】
【００１１】
上記の課題を解決するため、本発明に係る光ディスク装置は、光ディスクにひとまとまりのデータの記録が行われたときには、前記データの後尾に割付テーブルを記録する割付テーブル記録手段と、割付テーブルに基づいて光ディスクに記録されたデータの再生を行う再生制御手段とを備え、割付テーブルには、前記ひとまとまりのデータの記録終了位置と、前回に記録された割付テーブルの記録位置とが含まれた光ディスク装置に適用している。そして、記録を行ったデータに対応する割付テーブルが正常に記録されたかどうかを判定する判定手段を備え、割付テーブル記録手段は、判定手段の判定結果が割付テーブルが正常に記録されなかったことを示すときには、光ディスクに既に記録されていた全ての割付テーブルの記録位置を示すテーブル位置情報を光ディスクのリードイン領域に記録し、再生制御手段は、記録済み領域の後尾のデータが割付テーブルとなっていないときには、前記リードイン領域に記録されたテーブル位置情報によって記録位置が示される割付テーブルに基づいてデータの再生を行うようになっている。
【００１２】
すなわち、テーブル位置情報には、既に記録されていた割付テーブルの記録位置が含まれている。従って、記録済み領域の後尾のデータが割付テーブルとなっていないときにも、テーブル位置情報を参照するときでは、既に記録されていた割付テーブルの記録位置を知ることができる。従って、既に記録されていたひとまとまりのデータのそれぞれの記録位置を知ることができる。また、以前には読み出しが可能であった割付テーブルの記録位置を読み出すことが不能となるときでも、テーブル位置情報を参照するときでは、既に記録されていた全ての割付テーブルの記録位置を知ることができる。また、リードイン領域は内周側の領域であるため、データを書き込むときには、外周側の領域に書き込む場合に比すると、書き込みエラーが発生しにくくなる。
【００１３】
また本発明に係る光ディスク装置は、光ディスクにひとまとまりのデータの記録が行われたときには、前記データの後尾に割付テーブルを記録する割付テーブル記録手段と、割付テーブルに基づいて光ディスクに記録されたデータの再生を行う再生制御手段とを備え、割付テーブルには、前記ひとまとまりのデータの記録終了位置と、前回に記録された割付テーブルの記録位置とが含まれた光ディスク装置に適用している。そして、記録を行ったデータに対応する割付テーブルが正常に記録されたかどうかを判定する判定手段を備え、割付テーブル記録手段は、判定手段の判定結果が割付テーブルが正常に記録されなかったことを示すときには、光ディスクに既に記録されていた割付テーブルの記録位置を示すテーブル位置情報を光ディスクの所定領域に記録し、再生制御手段は、記録済み領域の後尾のデータが割付テーブルとなっていないときには、前記所定領域に記録されたテーブル位置情報によって記録位置が示される割付テーブルに基づいてデータの再生を行うようになっている。
【００１４】
すなわち、テーブル位置情報には、既に記録されていた割付テーブルの記録位置が含まれている。従って、記録済み領域の後尾のデータが割付テーブルとなっていないときにも、テーブル位置情報を参照するときでは、既に記録されていた割付テーブルの記録位置を知ることができる。従って、既に記録されていたひとまとまりのデータのそれぞれの記録位置を知ることができる。
【００１５】
また本発明に係る光ディスク装置は、光ディスクにひとまとまりのデータの記録が行われたときには、前記データの後尾に割付テーブルを記録する割付テーブル記録手段と、割付テーブルに基づいて光ディスクに記録されたデータの再生を行う再生制御手段とを備え、割付テーブルには、前記ひとまとまりのデータの記録終了位置と、前回に記録された割付テーブルの記録位置とが含まれた光ディスク装置に適用している。そして、割付テーブル記録手段は、光ディスクに既に記録されていた最後尾の割付テーブルの後方にデータが記録されたときには、光ディスクに既に記録されていた割付テーブルの記録位置を示すテーブル位置情報を光ディスクの所定領域に記録し、再生制御手段は、記録済み領域の後尾のデータが割付テーブルとなっていないときには、前記所定領域に記録されたテーブル位置情報によって記録位置が示される割付テーブルに基づいてデータの再生を行うようになっている。
【００１６】
すなわち、テーブル位置情報には、既に記録されていた割付テーブルの記録位置が含まれている。従って、記録済み領域の後尾のデータが割付テーブルとなっていないときにも、テーブル位置情報を参照するときでは、既に記録されていた割付テーブルの記録位置を知ることができる。従って、既に記録されていたひとまとまりのデータのそれぞれの記録位置を知ることができる。
【００１７】
また、上記構成に加え、テーブル位置情報には、既に記録されていた全ての割付テーブルの記録位置を含めている。すなわち、以前には読み出しが可能であった割付テーブル（前回に記録された割付テーブル）の記録位置を読み出すことが不能となるときでも、テーブル位置情報を参照するときでは、既に記録されていた全ての割付テーブルの記録位置を知ることができる。
【発明の効果】
【００１８】
本発明によれば、テーブル位置情報には、既に記録されていた割付テーブルの記録位置が含まれている。従って、記録済み領域の後尾のデータが割付テーブルとなっていないときにも、テーブル位置情報を参照するときでは、既に記録されていた割付テーブルの記録位置を知ることができる。従って、既に記録されていたひとまとまりのデータのそれぞれの記録位置を知ることができる。また、以前には読み出しが可能であった割付テーブルの記録位置を読み出すことが不能となるときでも、テーブル位置情報を参照するときでは、既に記録されていた全ての割付テーブルの記録位置を知ることができる。また、リードイン領域は内周側の領域であるため、データを書き込むときには、外周側の領域に書き込む場合に比すると、書き込みエラーが発生しにくくなる。このため、割付テーブルの記録が正常に行われない事態が生じたときにも、既に記録されていたデータの再生を可能にすることができ、且つ、以前には割付テーブルから読み出しが可能であった前回の割付テーブルの記録位置の読み出しが不能となる事態が生じるときにも、既に記録されていたデータの再生を可能にすることができ、且つ、既に記録されていた割付テーブルの記録位置を示すテーブル位置情報の書き込みにおけるエラーの発生を低減することができる。
【００１９】
また本発明によれば、テーブル位置情報には、既に記録されていた割付テーブルの記録位置が含まれている。従って、記録済み領域の後尾のデータが割付テーブルとなっていないときにも、テーブル位置情報を参照するときでは、既に記録されていた割付テーブルの記録位置を知ることができる。従って、既に記録されていたひとまとまりのデータのそれぞれの記録位置を知ることができるので、割付テーブルの記録が正常に行われない事態が生じたときにも、既に記録されていたデータの再生を可能にすることができる。また、ひとつのテーブル位置情報の書き込みを行うのみでよいため、テーブル位置情報を書き込むための領域は小さくてもよい、という効果も併せて得ることができる。
【００２０】
また本発明によれば、テーブル位置情報には、既に記録されていた割付テーブルの記録位置が含まれている。従って、記録済み領域の後尾のデータが割付テーブルとなっていないときにも、テーブル位置情報を参照するときでは、既に記録されていた割付テーブルの記録位置を知ることができる。従って、既に記録されていたひとまとまりのデータのそれぞれの記録位置を知ることができる。また、複数のテーブル位置情報が記録されるので、傷等によって読み出せない領域が生じるような場合であっても、いずれかのテーブル位置情報を読み出すことができる確率は高いので、記録されたデータの再生が不能となる事態（割付テーブルの記録位置が分からなくなる事態）の発生の確率を極めて低いものにできるという効果も併せて得ることができる。
【００２１】
また、さらに、以前には読み出しが可能であった割付テーブル（前回に記録された割付テーブル）の記録位置を読み出すことが不能となるときでも、テーブル位置情報を参照するときでは、既に記録されていた全ての割付テーブルの記録位置を知ることができるので、以前には割付テーブルから読み出しが可能であった前回の割付テーブルの記録位置の読み出しが不能となる事態が生じるときにも、既に記録されていたデータの再生を可能にすることができる。
【発明を実施するための最良の形態】
【００２２】
以下、本発明の実施の形態について図を参照して説明する。
【実施例１】
【００２３】
図１は、本発明に係る光ディスク装置の第１の実施形態であるＤＶＤレコーダの電気的構成を示すブロック線図である。
【００２４】
図において、チューナ部９は、マイクロコンピュータ（以下では、マイコンと称する）７から指示されたチャンネルの商用放送を受信するとともに、受信して得られたアナログ映像信号（アナログ音声信号を含む）をＡ／Ｄ変換部８に出力する。Ａ／Ｄ変換部８は、チューナ部９から出力されるアナログ映像信号をデジタル映像信号（デジタル音声信号を含む）に変換し、伸長圧縮処理部５に出力する。Ｄ／Ａ変換部６は、伸長圧縮処理部５より出力されるデジタル映像信号（デジタル音声信号を含む）をアナログ映像信号（アナログ音声信号を含む）に変換し、外部に設けられたテレビ受像機１２に出力する。
【００２５】
光ピックアップ３は、ディスクモータ２によって回転駆動されるＤＶＤ（請求項記載の光ディスクであり、具体的には、ＤＶＤ＋Ｒ等）１の読み取りを行い、読み取りによって得られた信号を記録再生処理部４に出力する。また、記録再生処理部４より出力される信号をＤＶＤ１に記録する。
【００２６】
記録再生処理部４は、ディスクモータ２や光ピックアップ３とともに、ディスクドライブ部を形成する。このため、記録再生処理部４は、データの再生時には、光ピックアップ３より出力される信号からＲＦ信号を生成する。次いで、生成したＲＦ信号からデジタルデータを復調した後、復号化を行って得られた信号を伸長圧縮処理部５に出力する。また、データの記録時には、伸長圧縮処理部５より出力されるデジタル信号を符号化した後、符号化した信号を用いて光ピックアップ３を駆動する。
【００２７】
伸長圧縮処理部５は、エンコード部１８を用いることによって、Ａ／Ｄ変換部８から出力された映像信号をＭＰＥＧ２（音声信号についてはＡＣ３等）に従って圧縮処理する。そして後、圧縮処理した映像信号を記録再生処理部４に出力する。また、デコード部１９を用いることにより、記録再生処理部４より出力される映像信号を、ＭＰＥＧ２（音声信号についてはＡＣ３等）に従って伸長処理する。そして、伸長処理により得られたデジタル映像信号をＤ／Ａ変換部６に出力する。
【００２８】
入力回路部１０は、図示されない装置本体の前面パネルに設けられた電源キー等のキースイッチや、リモートコントローラ（以下では、リモコンと称する）１１から送信される赤外線信号を受光する受光ユニット等を備えており、ユーザからの指示が入力されると、入力された指示をマイコン７に出力する。
【００２９】
マイコン７は、ＤＶＤレコーダとしての主要動作を制御する。すなわち、リモコン１１等に入力されたユーザの指示に従い、チューナ部９が受信するチャンネルを制御する。また、記録再生処理部４と伸長圧縮処理部５とを制御することによって、チューナ部９が受信した番組をＤＶＤ１に記録する。また、ＤＶＤ１に記録された番組を再生して、テレビ受像機１２に表示する。また、マイコン７は、その機能の一部によって、割付テーブル記録手段２１、再生制御手段２２、および、判定手段２３を構成する。
【００３０】
割付テーブル記録手段２１は、ＤＶＤ１がＤＶＤ＋Ｒである場合、ＤＶＤ１にひとまとまりのデータ（１タイトル分の映像音声情報（番組）であり、その一例を、図１３の９１１〜９１３により示す）の記録が行われたときには、記録したデータの後尾にＲＳＡＴ（割付テーブル）を記録する（一例を９２１〜９２３により示す）。また、判定手段２３における判定結果が、記録を行ったデータに対応するＲＳＡＴが正常に記録されなかったことを示すときには、ＤＶＤ１に既に記録されていた全てのＲＳＡＴの記録位置を示すテーブル位置情報を、ＤＶＤ１の所定領域（後に詳述する）に記録する。
【００３１】
再生制御手段２２は、ＤＶＤ１がＤＶＤ＋Ｒである場合、ＲＳＡＴの内容に基づいてＤＶＤ１に記録されたデータの再生を行う。但し、記録済み領域の後尾のデータがＲＳＡＴとなっていないときには、所定領域に記録されたテーブル位置情報によって記録位置が示されるＲＳＡＴに基づいてデータの再生を行う。判定手段２３は、ひとまとまりのデータの記録が行われるときには、記録されたデータに対応するＲＳＡＴが正常に記録されたかどうかを判定する。
【００３２】
図２は、テーブル位置情報が記録される領域（請求項記載の所定領域）と、テーブル位置情報の構成を示す説明図である。同図を参照しつつ、補足的な説明を行う。
【００３３】
Ｌｅａｄ−ｉｎ領域にはＩｎｎｅｒ  Ａｄｍｉｎｉｓｔｒａｔｉｏｎ  Ｚｏｎｅが設けられており、その内部には、ディスクドライブに関する情報を記録するための領域が設けられている。この領域における１記録単位（１６セクタ）３２の先頭セクタ（セクタ０）のバイト番号６４−２０４７の範囲、および、セクタ１からセクタ１５までの範囲は、装置の製造元に開放された領域となっている。そして、本実施形態では、セクタ０のバイト番号６４−２０４７の範囲を、テーブル位置情報３１の記録に用いている。
【００３４】
テーブル位置情報３１は、テーブル位置情報であることを示す『ＲＳＡＴ』の４文字のラベル（バイト番号６４−６７の４バイトにアスキーコードとして格納される）、ＲＳＡＴの記録位置の数（バイト番号６８−７１の４バイトに記録される）、および、ＲＳＡＴの記録位置（記録位置のそれぞれには４バイトが割り当てられている）により構成されている。
【００３５】
また、図１４を参照しつつ、補足的な説明を行うと、ＲＳＡＴに含まれる項目『ＥＮＤ＿ＤＡＴＡ』は、既に説明したように、その直前に位置する映像音声情報（請求項記載のひとまとまりのデータ）の記録終了位置を示す情報となっており、項目『ＰＲＥＶ＿ＲＳＡＴ』は、前回に記録されたＲＳＡＴの記録位置を示す情報となっている。
【００３６】
図３は、ディスクを装着したときの第１の実施形態の主要動作を示すフローチャート、図４は、録画時の第１の実施形態の主要動作を示すフローチャート、図５は、テーブル位置情報を記録するときの第１の実施形態の主要動作を示すフローチャート、図６は、再生時の第１の実施形態の主要動作を示すフローチャートである。必要に応じてこれらの図を参照しつつ、第１の実施形態の動作を説明する。なお、以下における説明では、ＤＶＤ１はＤＶＤ＋Ｒであるとする。
【００３７】
マイコン７は、ＤＶＤ１が再生位置に装着されると、データの最終記録位置を検出する（ステップＳ１，Ｓ２）。検出された最終記録位置に基づき、記録済領域の後尾のデータがＲＳＡＴであるかどうかを調べる（ステップＳ３）。記録済領域の後尾のデータがＲＳＡＴであるときには、前回のＲＳＡＴ、前々回のＲＳＡＴ、・・・・、と順次、前方にＲＳＡＴを辿ることによって、全てのＲＳＡＴの記録位置を取得する。そして、取得した記録位置を内部に記憶する（ステップＳ４，Ｓ５）。そして後、ＲＳＡＴが有効であることを示すためのフラグをオンにする（ステップＳ６）。
【００３８】
一方、記録済領域の後尾のデータがＲＳＡＴでないときには、ＤＶＤ＋Ｒの規格に沿った記録ができないので、既に記録されたタイトルの再生のみが可能で、新たな録画を行うことができない旨を示すメッセージをテレビ受像機１２に表示する（ステップＳ４，Ｓ７）。そして後、フラグをオフにする（ステップＳ８）。
【００３９】
上記した初期動作が終了した後、動作の指示を入力したとする（ステップＳ１１）。入力した指示が録画である場合には、動作は、ステップＳ１２，Ｓ１３，Ｓ１４と進行し、録画が開始される。そして、録画におけるエラーが発生したかどうかと録画終了の指示が入力されたかどうかを調べるループ動作に移行する（ステップＳ１５，Ｓ１６）。エラーが発生することなく録画を終了したときには、このときの録画データの後尾にＲＳＡＴを記録する（ステップＳ２１）。ＲＳＡＴの記録が正常に終了したときには、記録したＲＳＡＴを読み出し、記録に誤りがないかどうかを調べるベリファイを行う（ステップＳ２２，Ｓ２３）。そして、記録に誤りがなかったときには動作を終了する（ステップＳ２４から終了に移行する）。
【００４０】
一方、ＲＳＡＴの記録が正常に終了しなかったとき、あるいは、ベリファイにおいて、ＲＳＡＴの記録に誤りがあったことが判明した場合、記録回数が規定回数（例えば、３回等）以内であるかどうかを調べ、記録回数が規定回数以内であるときには、再度、ステップＳ２１からの動作を実行する。ステップＳ２１〜Ｓ２４の動作を繰り返したときにも、ＲＳＡＴが誤りなく記録されることがなかった場合には、規定回数内でステップＳ２１〜Ｓ２４の動作を繰り返す。そして、規定回数だけステップＳ２１〜Ｓ２４の動作を繰り返したときにも、ＲＳＡＴを誤りなく記録することができなかったときには、動作を、ステップＳ２８からステップＳ３１に移行する。
【００４１】
また、ステップＳ１５，Ｓ１６のループ動作において、エラー（録画におけるエラー）が発生したときにも、動作を、ステップＳ１５からステップＳ３１に移行する。また、ステップＳ１１において入力された指示が、再生や録画以外の指示であった場合には、入力された指示に対応した処理を行う（ステップＳ２９）。
【００４２】
ステップＳ３１からの動作は、テーブル位置情報を記録するための動作となっている。このため、Ｉｎｎｅｒ  Ａｄｍｉｎｉｓｔｒａｔｉｏｎ  Ｚｏｎｅ内の記録終端位置を調べる。そして調べた記録終端位置から、テーブル位置情報を記録するための領域（１記録単位（１６セクタ分の大きさの領域））が残っていることが判明すると、記録終端位置に続く領域にテーブル位置情報を記録する（ステップＳ３２，Ｓ３３）。
【００４３】
記録が正常に終了したときには、記録したテーブル位置情報を読み出し、テーブル位置情報が誤りなく記録されているかどうかを調べるベリファイを行う（ステップＳ３４，Ｓ３５）。テーブル位置情報が誤りなく記録されていたときでは、前回までに記録されていたタイトルの再生のみが可能で、新たな録画はできないことを示すメッセージをテレビ受像機１２に表示して、動作を終了する（ステップＳ３６，Ｓ３７）。
【００４４】
一方、テーブル位置情報の記録が正常に終了しなかったとき、あるいは、ベリファイにおいて、テーブル位置情報の記録に誤りがあったことが判明した場合、記録回数が規定回数（例えば、３回等）以内であるかどうかを調べ、記録回数が規定回数以内であるときには、再度、ステップＳ３３からの動作を実行する。ステップＳ３３〜Ｓ３６の動作を繰り返したときにも、テーブル位置情報が誤りなく記録されることがなかった場合には、規定回数内でステップＳ３３〜Ｓ３６の動作を繰り返す。そして、規定回数だけステップＳ３３〜Ｓ３６の動作を繰り返したときにも、テーブル位置情報を誤りなく記録することができなかったときには、動作を、ステップＳ４１からステップＳ４２に移行し、現在使用中のＤＶＤ１は使用不能となったことを示すメッセージをテレビ受像機１２に表示する。
【００４５】
ここで、図７を参照しつつ、テーブル位置情報に含まれる記録位置について説明する。今回の録画を行う以前では、図７（Ａ）に示したように、１タイトル分の映像音声情報９１１とＲＳＡＴ９２１（以下では、ＲＳＡＴ１と称する）とが記録されていたとする。この状態において、次のタイトル分の映像音声情報９１２の記録が開始されたが、なんからの不具合によって、ＲＳＡＴを誤りなく記録するまでに至らなかった場合、ステップＳ３３により記録されたテーブル位置情報７１は、ＲＳＡＴ１の記録位置のみを含む情報となる。
【００４６】
また、今回の録画を行う以前では、図７（Ｂ）に示したように、２タイトル分の映像音声情報９１１，９１２と、映像音声情報９１１，９１２のそれぞれに対応するＲＳＡＴ９２１，９２２（以下では、ＲＳＡＴ１、ＲＳＡＴ２と称する）とが記録されているとする。この状態において、次のタイトル分の映像音声情報９１３の記録が開始されたが、なんからの不具合によって、ＲＳＡＴを誤りなく記録するまでに至らなかった場合、ステップＳ３３により記録されたテーブル位置情報７２は、ＲＳＡＴ１の記録位置とＲＳＡＴ２の記録位置とを含む情報となる。
【００４７】
また、今回の録画を行う以前では、図７（Ｃ）に示したように、３タイトル分の映像音声情報９１１，９１２，９１３とそれぞれに対応するＲＳＡＴ９２１，９２２，９２３（以下では、ＲＳＡＴ１、ＲＳＡＴ２、ＲＳＡＴ３と称する）とが記録されていたとする。この状態において、次のタイトル分の映像音声情報９１４の記録が開始されたが、なんからの不具合によって、ＲＳＡＴを誤りなく記録するまでに至らなかった場合、ステップＳ３３により記録されたテーブル位置情報７３は、ＲＳＡＴ１〜ＲＳＡＴ３のそれぞれの記録位置を含む情報となる。
【００４８】
以上のことから、例えば、テーブル位置情報７２の記録が行われた後では、ＤＶＤ１に生じた傷等が原因となって、ＲＳＡＴ２内に記録され、ＲＳＡＴ１の記録位置を示す情報が読み出せなくなったときにも、テーブル位置情報７２にはＲＳＡＴ１の記録位置を示す情報が記録されているため、容易にＲＳＡＴ１の読み出しを行うことができるので、再生における信頼性を高めることができる。
【００４９】
また、同様に、テーブル位置情報７３の記録が行われた後では、ＤＶＤ１に生じた傷等が原因となって、ＲＳＡＴ３内に記録され、ＲＳＡＴ２の記録位置を示す情報、あるいは、ＲＳＡＴ２内に記録され、ＲＳＡＴ１の記録位置を示す情報が読み出せなくなったときにも、テーブル位置情報７２にはＲＳＡＴ１、ＲＳＡＴ２の記録位置を示す情報が記録されているので、容易にＲＳＡＴ１、ＲＳＡＴ２の読み出しを行うことができるため、再生における信頼性を高めることができる。
【００５０】
なお、ステップＳ１１における指示が再生であった場合には、動作は、ステップＳ１２からステップＳ５１に移行し、ＲＳＡＴが有効であるかどうかを示すフラグの状態が調べられる。フラグがオフであるときには、現在装着されているディスクは、最終記録位置にＲＳＡＴが記録されていないディスクであるとして、Ｉｎｎｅｒ  Ａｄｍｉｎｉｓｔｒａｔｉｏｎ  Ｚｏｎｅ内のテーブル位置情報を読み出す（ステップＳ５２）。そして、テーブル位置情報によって記録位置が示されたＲＳＡＴを読み出し、読み出したＲＳＡＴに基づいてタイトルを再生する（ステップＳ５３）。
【００５１】
一方、フラグがオンとなっているときでは、現在装着されているディスクは、最終記録位置にＲＳＡＴが記録されているディスクであるとして、最終記録位置に記録されたＲＳＡＴから、順次、それ以前に記録されたＲＳＡＴを読み出し、読み出したＲＳＡＴに基づいてタイトルの再生を行う（ステップＳ５１，Ｓ５４）。
【実施例２】
【００５２】
図８は、本発明に係る光ディスク装置の第２の実施形態であるＤＶＤレコーダの電気的構成を示すブロック線図であり、図１における構成と同一となるブロックには、図１における符号と同じ符号を付与している。すなわち、第２の実施形態は、マイコン１５の構成のみが第１の実施形態と異なった構成となっているので、構成については、マイコン１５についてのみ説明する。
【００５３】
マイコン１５は、ＤＶＤレコーダとしての主要動作を制御する。すなわち、リモコン１１等に入力されたユーザの指示に従い、チューナ部９が受信するチャンネルを制御する。また、記録再生処理部４と伸長圧縮処理部５とを制御することによって、チューナ部９が受信した番組をＤＶＤ１に記録する。また、ＤＶＤ１に記録された映像信号を再生して、テレビ受像機１２に表示する。また、マイコン１５は、その機能の一部によって、割付テーブル記録手段２５、および、再生制御手段２６を構成する。
【００５４】
割付テーブル記録手段２５は、ＤＶＤ１がＤＶＤ＋Ｒである場合、ＤＶＤ１にひとまとまりのデータ（１タイトル分の映像音声情報であり、その一例を、図１３の９１１〜９１３により示す）の記録が行われたときには、記録したデータの後尾にＲＳＡＴ（割付テーブル）を記録する（一例を９２１〜９２３により示す）。また、ＤＶＤ１に既に記録されていた最後尾の割付テーブルの後方にデータが記録されたときには、ＤＶＤ１に既に記録されていた全てのＲＳＡＴの記録位置を示すテーブル位置情報をＤＶＤ１の所定領域（第１の実施形態において割り当てられた領域と同じ領域）に記録する。
【００５５】
再生制御手段２６は、ＤＶＤ１がＤＶＤ＋Ｒである場合、ＲＳＡＴの内容に基づいてＤＶＤ１に記録されたデータの再生を行う。但し、記録済み領域の後尾のデータがＲＳＡＴとなっていないときには、所定領域に最も新しく記録されたテーブル位置情報によって記録位置が示されるＲＳＡＴに基づいてデータの再生を行う。
【００５６】
図３は、ディスクを装着したときの第２の実施形態の主要動作を示すフローチャート、図５、図１０は、テーブル位置情報を記録するときの第２の実施形態の主要動作を示すフローチャート、図６は、再生時の第２の実施形態の主要動作を示すフローチャート、図９は、録画時の第２の実施形態の主要動作を示すフローチャートとなっている。
【００５７】
なお、図３、図５、図６は、第１の実施形態の動作を示すフローチャートと同一となっている。また、図９においては、図４に示すステップと同一となるステップには、図４における符号と同一符号を付与している。必要に応じてこれらの図を参照しつつ、実施形態の動作を説明する。なお、以下における説明では、ＤＶＤ１はＤＶＤ＋Ｒであるとする。また、ステップＳ１１〜ステップＳ１６、ステップＳ２１〜ステップＳ２４、ステップＳ２８、ステップＳ２９は、図９に示すステップとなっている。
【００５８】
マイコン１５は、ＤＶＤ１が再生位置に装着されると、データの最終記録位置を検出する（ステップＳ１，Ｓ２）。検出された最終記録位置に基づき、記録済領域の後尾のデータがＲＳＡＴであるかどうかを調べる（ステップＳ３）。記録済領域の後尾のデータがＲＳＡＴであるときには、全てのＲＳＡＴの記録位置を取得して、内部に記憶する（ステップＳ４，Ｓ５）。そして後、ＲＳＡＴが有効であることを示すためのフラグをオンにする（ステップＳ６）。
【００５９】
一方、記録済領域の後尾のデータがＲＳＡＴでないときには、ＤＶＤ＋Ｒの規格に沿った記録ができないので、既に記録されたタイトルの再生のみが可能で、新たな録画を行うことができない旨を示すメッセージをテレビ受像機１２に表示する（ステップＳ４，Ｓ７）。そして後、フラグをオフにする（ステップＳ８）。
【００６０】
上記した初期動作が終了した後、動作の指示を入力したとする（ステップＳ１１）。入力した指示が録画である場合には、動作は、ステップＳ１２，Ｓ１３，Ｓ１４と進行し、録画が開始される。そして、録画におけるエラーが発生したかどうかと録画終了の指示が入力されたかどうかを調べるループ動作に移行する（ステップＳ１５，Ｓ１６）。エラーが発生することなく録画を終了したときには、このときの録画データの後尾にＲＳＡＴを記録する（ステップＳ２１）。ＲＳＡＴの記録が正常に終了したときには、記録したＲＳＡＴを読み出し、記録に誤りがないかどうかを調べるベリファイを行う（ステップＳ２２，Ｓ２３）。ＲＳＡＴの記録に誤りがなかったときには、動作を、ステップＳ２４から、図１０のステップＳ６１に移行する。
【００６１】
一方、ＲＳＡＴの記録が正常に終了しなかったとき、あるいは、ベリファイにおいて、ＲＳＡＴの記録に誤りがあることが判明した場合、記録回数が規定回数（例えば、３回等）以内であるかどうかを調べ、記録回数が規定回数以内であるときには、再度、ステップＳ２１からの動作を実行する。ステップＳ２１〜Ｓ２４の動作を繰り返したときにも、ＲＳＡＴが誤りなく記録されることがなかった場合では、規定回数内で、ステップＳ２１〜Ｓ２４の動作を繰り返す。そして、規定回数だけステップＳ２１〜Ｓ２４の動作を繰り返したときにも、ＲＳＡＴを誤りなく記録することができなかったときには、動作を、ステップＳ２８からステップＳ３１に移行する。
【００６２】
また、ステップＳ１５，Ｓ１６のループ動作において、エラー（録画におけるエラー）が発生したときにも、動作を、ステップＳ１５から、図５のステップＳ３１に移行する。また、ステップＳ１１において入力された指示が、再生や録画以外の指示であった場合には、入力された指示に対応した処理を行う（ステップＳ２９）。
【００６３】
ステップＳ３１からの動作は、テーブル位置情報を記録するための動作となっている。このため、Ｉｎｎｅｒ  Ａｄｍｉｎｉｓｔｒａｔｉｏｎ  Ｚｏｎｅ内の記録終端位置を調べる。そして調べた記録終端位置から、テーブル位置情報を記録するための領域が残っていることが判明すると、記録終端位置に続く領域にテーブル位置情報を記録する（ステップＳ３２，Ｓ３３）。
【００６４】
記録が正常に終了したときには、記録したテーブル位置情報を読み出し、テーブル位置情報が誤りなく記録されているかどうかを調べるベリファイを行う（ステップＳ３４，Ｓ３５）。テーブル位置情報が誤りなく記録されていたときでは、前回までに記録されたタイトルの再生のみが可能で、新たな録画はできないことを示すメッセージをテレビ受像機１２に表示して、動作を終了する（ステップＳ３６，Ｓ３７）。
【００６５】
一方、テーブル位置情報の記録が正常に終了しなかった場合、あるいは、ベリファイにおいてテーブル位置情報の記録に誤りがあったことが判明した場合、記録回数が規定回数（例えば、３回等）以内であるかどうかを調べ、記録回数が規定回数以内であるときには、再度、ステップＳ３３からの動作を実行する。ステップＳ３３〜Ｓ３６の動作を繰り返したときにも、テーブル位置情報が誤りなく記録されることがなかった場合では、規定回数内で、ステップＳ３３〜Ｓ３６の動作を繰り返す。そして、規定回数だけステップＳ３３〜Ｓ３６の動作を繰り返したときにも、テーブル位置情報を誤りなく記録することができなかったときには、動作を、ステップＳ４１からステップＳ４２に移行し、現在使用中のＤＶＤ１は使用不能となったことを示すメッセージをテレビ受像機１２に表示する。
【００６６】
以上説明したように、ＲＳＡＴが正常に記録されなかった場合には、第１の実施形態と同様に、テーブル位置情報の記録が行われる。一方、ＲＳＡＴが正常に記録された場合、第１の実施形態ではテーブル位置情報の記録が行われなかったが、第２の実施形態においては、ＲＳＡＴが正常に記録された場合にも、テーブル位置情報が記録されるようになっている。
【００６７】
すなわち、ステップＳ２４において、ＲＳＡＴが正常に記録されたことが判明した場合、動作がステップＳ６１に移行し、Ｉｎｎｅｒ  Ａｄｍｉｎｉｓｔｒａｔｉｏｎ  Ｚｏｎｅ内の記録終端位置が調べられる。そして調べた記録終端位置から、テーブル位置情報を記録するための領域が残っていることが判明すると、記録終端位置に続く領域にテーブル位置情報を記録する（ステップＳ６２，Ｓ６３）。記録が正常に終了したときには、記録したテーブル位置情報を読み出し、テーブル位置情報が誤りなく記録されているかどうかを調べるベリファイを行う（ステップＳ６４，Ｓ６５）。テーブル位置情報が誤りなく記録されていたときでは、動作を終了する（ステップＳ６６）。
【００６８】
一方、テーブル位置情報の記録が正常に終了しなかったとき、あるいは、ベリファイにおいて、テーブル位置情報の記録に誤りがあったことが判明した場合、記録回数が規定回数（例えば、３回等）以内であるかどうかを調べ、記録回数が規定回数以内であるときには、再度、ステップＳ６３からの動作を実行する。ステップＳ６３〜Ｓ６６の動作を繰り返したときにも、テーブル位置情報が誤りなく記録されることがなかった場合では、規定回数内で、ステップＳ６３〜Ｓ６６の動作を繰り返す。
【００６９】
そして、規定回数だけステップＳ６３〜Ｓ６６の動作を繰り返したときにも、テーブル位置情報を誤りなく記録することができなかったときには、動作を、ステップＳ７１からステップＳ７２に移行し、以後の録画には使用しないことを推奨するメッセージをテレビ受像機１２に表示する。その理由は、ＲＳＡＴが記録できたので、以後の録画に使用することが可能ではあるが、テーブル位置情報の記録を行うことができなかったことは、ＤＶＤ１になんらかの不具合が発生している可能性を示しており、次回からの録画時には不具合が発生する可能性が高いからである。
【００７０】
ここで、図１１を参照しつつ、ＲＳＡＴの記録が正常に行われた場合のテーブル位置情報について説明する。いま、図１１（Ａ）に示したように、１タイトル分の映像音声情報９１１とＲＳＡＴ９２１（以下では、ＲＳＡＴ１と称する）とが既に記録された状態において、１タイトル分の映像音声情報９１２が不具合を生じることなく録画され、且つ、ＲＳＡＴ９２２（以下では、ＲＳＡＴ２と称する）も、不具合を生じることなく記録されたとする。この状態となるときでは、ステップＳ６３により記録されたテーブル位置情報８１は、ＲＳＡＴ１の記録位置を含む情報となる。
【００７１】
また、図１１（Ａ）に示した状態から、映像音声情報９１３が不具合を生じることなく録画され、且つ、ＲＳＡＴ９２３（以下では、ＲＳＡＴ３と称する）も、不具合を生じることなく記録されたとする。この状態となるときでは、図１１（Ｂ）に示したように、ステップＳ６３により記録されたテーブル位置情報８２は、テーブル位置情報８１の後ろに追加される形で記録された情報となり、且つ、ＲＳＡＴ１の記録位置とＲＳＡＴ２の記録位置とを含む情報となる。
【００７２】
また、図１１（Ｂ）に示した状態から、映像音声情報９１４が不具合を生じることなく録画され、且つ、ＲＳＡＴ９２４も、不具合を生じることなく記録されたとする。この状態となるときでは、図１１（Ｃ）に示したように、ステップＳ６３により記録されたテーブル位置情報８３は、テーブル位置情報８２の後ろに追加される形で記録された情報となり、且つ、ＲＳＡＴ１〜ＲＳＡＴ３の３つのＲＳＡＴの記録位置を含む情報となる。
【００７３】
以上で、ＲＳＡＴの記録が正常に行われた場合のテーブル位置情報についての説明を終了し、以下に、図１２を参照しつつ、ＲＳＡＴの記録が正常に行われなかった場合のテーブル位置情報について説明する。
【００７４】
いま、図１２（Ａ）に示したように、１タイトル分の映像音声情報９１１とＲＳＡＴ９２１（以下では、ＲＳＡＴ１と称する）とが記録されていたとする。この状態において、次のタイトル分の映像音声情報９１２の記録が開始されたが、なんからの不具合によって、ＲＳＡＴを正しく書き込むまでに至らなかった場合、ステップＳ３３により記録されたテーブル位置情報８５は、ＲＳＡＴ１の記録位置のみを含む情報となる。
【００７５】
また、今回の録画を行う以前では、図１２（Ｂ）に示したように、２タイトル分の映像音声情報９１１，９１２とそれぞれに対応するＲＳＡＴ９２１，９２２（以下では、ＲＳＡＴ１、ＲＳＡＴ２と称する）とが記録されていたとする（８１は、ＲＳＡＴ９２２が正常に記録されたとき、ステップＳ６３により記録されたテーブル位置情報を示している）。この状態において、次のタイトル分の映像音声情報９１３の記録が開始されたが、なんからの不具合によって、ＲＳＡＴを正しく書き込むまでに至らなかった場合、ステップＳ３３により、テーブル位置情報８１の後ろに記録されたテーブル位置情報８６は、ＲＳＡＴ１の記録位置とＲＳＡＴ２の記録位置とを含む情報となる。
【００７６】
また、今回の録画を行う以前では、図１２（Ｃ）に示したように、３タイトル分の映像音声情報９１１，９１２，９１３とそれぞれに対応するＲＳＡＴ９２１，９２２，９２３（以下では、ＲＳＡＴ１、ＲＳＡＴ２、ＲＳＡＴ３と称する）とが記録されていたとする（８１は、ＲＳＡＴ９２２が正常に記録されたとき、ステップＳ６３により記録されたテーブル位置情報、８２は、ＲＳＡＴ９２３が正常に記録されたとき、ステップＳ６３により記録されたテーブル位置情報を示している）。この状態において、次のタイトル分の映像音声情報９１４の記録が開始されたが、なんからの不具合によって、ＲＳＡＴを正しく書き込むまでに至らなかった場合、ステップＳ３３により記録されたテーブル位置情報８７は、ＲＳＡＴ１〜ＲＳＡＴ３のそれぞれの記録位置を含む情報となる。
【００７７】
以上でテーブル位置情報についての説明を終了し、ステップＳ１１における指示が再生であった場合の動作について説明する。このときでは、動作は、ステップＳ１２からステップＳ５１に移行し、ＲＳＡＴが有効であるかどうかを示すフラグを調べる。フラグがオフであるときには、現在装着されているディスクは、最終記録位置にＲＳＡＴが記録されていないディスクであるとして、Ｉｎｎｅｒ  Ａｄｍｉｎｉｓｔｒａｔｉｏｎ  Ｚｏｎｅ内のテーブル位置情報を読み出す（複数のテーブル位置情報が記録されている場合では、最後に記録されたテーブル位置情報を読み出す）（ステップＳ５２）。そして、テーブル位置情報によって記録位置が示されたＲＳＡＴを読み出し、読み出したＲＳＡＴに基づいてタイトルを再生する（ステップＳ５３）。
【００７８】
一方、フラグがオンとなっているときでは、現在装着されているディスクは、最終記録位置にＲＳＡＴが記録されているディスクであるとして、最終記録位置に記録されたＲＳＡＴから、順次、それ以前に記録されたＲＳＡＴを読み出し、読み出したＲＳＡＴに基づいてタイトルの再生を行う（ステップＳ５１，Ｓ５４）。
【００７９】
以上説明したように、第２の実施形態においては、ＲＳＡＴが正常に記録されたときにも、既に記録されていた全てのＲＳＡＴの記録位置を含むテーブル位置情報が記録されるようになっている。従って、既に記録されたＲＳＡＴに関して、全てのＲＳＡＴあるいは任意のＲＳＡＴについて、その内部に含まれる前回のＲＳＡＴの記録位置を読み取ることができなくなったときでも、支障なく再生を行うことができるので、再生における信頼性を、より高めることができる。
【００８０】
以下に補足的な説明を行うと、図７、図１１、および、図１２は、テーブル位置情報が一度の書き込みによって誤りなく記録されたときの状態を示している。また、テーブル位置情報は、書き込みの最小単位である１６セクタ（３２ＫＢ）のデータ内にひとつづつ設けられるようになっている。すなわち、７１〜７３，８１〜８３，８５〜８７のそれぞれは１６セクタの大きさのデータとなっている。
【００８１】
なお、本発明は上記実施形態に限定されず、テーブル位置情報の記録位置については、Ｉｎｎｅｒ  Ａｄｍｉｎｉｓｔｒａｔｉｏｎ  Ｚｏｎｅとした場合について説明したが、その他の任意の領域内の位置とすることができる。
【００８２】
また、テーブル位置情報の構成についても、ＲＳＡＴの記録位置をその内部に含めることが可能な構成となる限りでは、任意の構成とすることができる。
【００８３】
また、テーブル位置情報については、ＲＳＡＴの記録位置を含むが、対応するデータの記録終了位置については、含めない構成とした場合について説明したが、ＲＳＡＴの記録位置と、対応するデータの記録終了位置とを含む構成とすることができる。そして、この構成とする場合では、ＲＳＡＴに含まれる記録位置を参照することなく、データの記録位置を知ることができるため、ＲＳＡＴが読み出せなくなるときであっても、データの再生が可能となるので、再生における信頼性をより高めることができる。
【００８４】
また、光ディスクがＤＶＤ＋Ｒである場合について説明したが、割付テーブルでもってデータの記録位置を示す規格を有するその他の光ディスクの場合にも、同様に適用することができる。
【００８５】
また、ＤＶＤレコーダに適用した場合について説明したが、その他の任意のディスク記録再生装置（例えば、ハードディスクドライブ一体型ＤＶＤレコーダ等）の場合にも、同様に適用することができる。
【図面の簡単な説明】
【００８６】
【図１】本発明に係る光ディスク装置の第１の実施形態であるＤＶＤレコーダの電気的構成を示すブロック線図である。
【図２】テーブル位置情報が記録される領域、および、テーブル位置情報の構成を示す説明図である。
【図３】ディスクを装着したときの第１および第２の実施形態の主要動作を示すフローチャートである。
【図４】録画時の第１の実施形態の主要動作を示すフローチャートである。
【図５】テーブル位置情報の記録時の第１および第２の実施形態の主要動作を示すフローチャートである。
【図６】再生時の第１および第２の実施形態の主要動作を示すフローチャートである。
【図７】第１の実施形態によるテーブル位置情報を示す説明図である。
【図８】第２の実施形態であるＤＶＤレコーダの電気的構成を示すブロック線図である。
【図９】録画時の第２の実施形態の主要動作を示すフローチャートである。
【図１０】テーブル位置情報を記録するときの第２の実施形態の主要動作を示すフローチャートである。
【図１１】第２の実施形態によるテーブル位置情報を示す説明図である。
【図１２】第２の実施形態によるテーブル位置情報を示す説明図である。
【図１３】従来技術におけるデータの追記状態を示す説明図である。
【図１４】ＲＳＡＴの構成を示す説明図である。
【符号の説明】
【００８７】
１  ＤＶＤ＋Ｒ等の光ディスク
２１，２５  割付テーブル記録手段
２２，２６  再生制御手段
２３  判定手段
７１〜７３  テーブル位置情報
８１〜８３  テーブル位置情報
８５〜８７  テーブル位置情報
９１１〜９１４  映像音声情報（ひとまとまりのデータ）
９２１〜９２４  ＲＳＡＴ（割付テーブル）
【図１】
0004696931.tif 000002
【図２】
0004696931.tif 000003
【図３】
0004696931.tif 000004
【図４】
0004696931.tif 000005
【図５】
0004696931.tif 000006
【図６】
0004696931.tif 000007
【図７】
0004696931.tif 000008
【図８】
0004696931.tif 000009
【図９】
0004696931.tif 000010
【図１０】
0004696931.tif 000011
【図１１】
0004696931.tif 000012
【図１２】
0004696931.tif 000013
【図１３】
0004696931.tif 000014
【図１４】
0004696931.tif 000015